(57)【要約】【課題】粒子線治療設備および治療計画に応じて加速器の稼働率を高くする粒子線治療スケジュールを生成することができる。【解決手段】実施形態の粒子線治療スケジュールシステム１ａは、治療室スケジュールを生成するための入力データを入力可能な入力手段２と、入力データから管理情報３０１と条件情報３０２とを格納する記憶手段３と、治療所要時間を算出する治療所要時間算出手段４と、管理情報３０１および条件情報３０２に基づいて照射回スケジュール情報３１０を生成する照射回別スケジュール生成手段８と、管理情報３０１、条件情報３０２および照射回スケジュール情報３１０に基づいて治療室スケジュール情報３８を生成する治療室別スケジュール生成手段５と、生成された治療室スケジュール情報３８を記憶手段３に格納するデータ管理手段６とを備える。【選択図】図１
2014117407.tif 000002
【特許請求の範囲】
【請求項１】
加速器を用いた粒子線治療設備を備えた複数の治療室について治療室スケジュールを生成する粒子線治療スケジュールシステムであって、
前記治療室スケジュールを生成するための入力データを入力可能な入力手段と、
前記入力手段を介して入力した前記入力データから、前記治療室スケジュールに対象となる治療患者、治療計画、照射計画、前記加速器および複数の前記治療室についての治療室設備に関する情報を含む管理情報と、前記治療室スケジュールおよび前記治療室の割り当てに関する複数の制約条件を含む条件情報とを格納する記憶手段と、
前記管理情報に基づいて、前記治療室スケジュールに対象となる前記治療患者ごとの前記治療計画から治療イベントを抽出し、抽出した前記治療イベントについて治療所要時間を算出する治療所要時間算出手段と、
前記管理情報および前記条件情報に基づいて、前記照射計画から所定の日時における照射回ごとのスケジュールを定める照射回スケジュール情報を生成する照射回別スケジュール生成手段と、
前記管理情報、前記条件情報および前記照射回スケジュール情報に基づいて、前記治療室ごとに所定の時間単位に算出された前記治療所要時間に基づく前記治療イベントを前記治療室スケジュールに割り当てて、当該割り当ての結果を治療室スケジュール情報として生成する治療室別スケジュール生成手段と、
生成された前記治療室スケジュール情報を前記記憶手段に格納するデータ管理手段とを備える
ことを特徴とする粒子線治療スケジュールシステム。
【請求項２】
前記治療室別スケジュール生成手段は、前記治療室スケジュールの前記割り当ての結果について１日あたりの前記治療患者数および前記加速器の稼働率の少なくともいずれかを計算し、前記治療室スケジュール情報に当該計算した１日あたりの前記治療患者数および前記加速器の稼働率を含め、
前記治療室別スケジュール生成手段は、前記治療イベントを前記治療室スケジュールに割り当てる場合に、前記治療室スケジュールにおける前記加速器の稼働率を高めるように複数の前記治療室に前記治療患者の前記治療イベントを振り分ける
ことを特徴とする請求項１に記載の粒子線治療スケジュールシステム。
【請求項３】
前記条件情報は、前記複数の制約条件に対する条件判断の組み合わせの定義を含む
ことを特徴とする請求項１または請求項２に記載の粒子線治療スケジュールシステム。
【請求項４】
前記治療室スケジュール情報の前記１日あたりの前記治療患者数および前記加速器の稼働率の少なくともいずれか一つを監視パラメータとして監視するスケジュール再編集通知手段をさらに備え、
前記スケジュール再編集通知手段は、前記監視パラメータが所定の閾値を満足できない場合に、前記治療室スケジュール情報について再編集警告を通知する
ことを特徴とする請求項１ないし請求項３のいずれか一項に記載の粒子線治療スケジュールシステム。
【請求項５】
前記治療室スケジュールを再編集するスケジュール再編集手段をさらに備え、
前記スケジュール再編集手段は、前記スケジュール再編集通知手段から前記再編集警告が通知された場合に、前記治療室スケジュール情報について前記監視パラメータが前記所定の閾値を満足するように前記治療室スケジュールを再編集し、当該再編集の結果を前記治療室スケジュール情報として再生成する
ことを特徴とする請求項４に記載の粒子線治療スケジュールシステム。
【請求項６】
前記管理情報には、照射方向およびエネルギー区分を含み、
前記照射回別スケジュール生成手段は、前記管理情報に基づいて、前記照射方向およびエネルギー区分から前記治療イベントの照射連続性の有無がチェックされる治療リスト情報を生成し、
前記治療室別スケジュール生成手段は、前記治療リスト情報をさらに参照して前記治療室スケジュールを生成し、参照した前記治療リスト情報と生成した前記治療室スケジュールに基づく前記治療室スケジュール情報とを紐付け、
前記治療リスト情報を編集する治療リスト編集手段をさらに備え、
前記スケジュール再編集手段は、前記治療リスト編集手段により前記治療リスト情報が編集された場合に、当該編集された前記治療リスト情報に基づいて紐付けされた前記治療室スケジュール情報から得られる前記治療室スケジュールを再編集する
ことを特徴とする請求項５に記載の粒子線治療スケジュールシステム。
【請求項７】
前記入力手段を介して、前記監視パラメータの前記所定の閾値、および、前記監視パラメータに基づく前記再編集警告を出すための優先度を設定し、当該設定した結果を再編集出力条件情報として前記記憶手段に格納するユーザ設定情報格納手段をさらに備え、
前記スケジュール再編集通知手段は、前記記憶手段に格納された前記再編集出力条件情報に基づいて、前記監視パラメータを監視する
ことを特徴とする請求項４ないし請求項６のいずれか一項に記載の粒子線治療スケジュールシステム。
【請求項８】
前記記憶手段に格納された前記治療室スケジュール情報に基づいて、前記治療室スケジュールを提供するデータ提供手段をさらに備える
ことを特徴とする請求項１ないし請求項７のいずれか一項に記載の粒子線治療スケジュールシステム。
【請求項９】
加速器を用いた粒子線治療設備を備えた複数の治療室について治療室スケジュールを生成するために、前記治療室スケジュールを生成するための入力データを入力可能な入力手段と、前記治療室スケジュールに対象となる治療患者、治療計画、照射計画、前記加速器および複数の前記治療室についての治療室設備に関する情報を含む管理情報と前記治療室スケジュールおよび前記治療室の割り当てに関する複数の制約条件を含む条件情報とを格納する記憶手段と、前記治療室スケジュールに対象となる前記治療患者ごとの前記治療計画から治療所要時間を算出する治療所要時間算出手段と、所定の日時における照射回ごとのスケジュールを定める照射回スケジュール情報を生成する照射回別スケジュール生成手段と、前記治療室スケジュールに治療イベントを割り当てて治療室スケジュール情報として生成する治療室別スケジュール生成手段と、前記治療室スケジュール情報を前記記憶手段に格納するデータ管理手段とを備える粒子線治療スケジュールシステムに用いられる粒子線治療スケジュール方法であって、
前記入力手段が、前記管理情報と前記条件情報とを前記入力データとして入力する入力ステップと、
前記記憶手段が、前記入力手段を介して前記入力データから前記管理情報と前記条件情報とを格納する記憶ステップと、
前記治療所要時間算出手段が、前記管理情報に基づいて、前記治療室スケジュールに対象となる前記治療患者ごとの前記治療計画から前記治療イベントを抽出し、抽出した前記治療イベントについて前記治療所要時間を算出する治療所要時間算出ステップと、
前記照射回別スケジュール生成手段が、前記管理情報および前記条件情報に基づいて、前記照射回スケジュール情報を生成する照射回別スケジュール生成ステップと、
前記治療室別スケジュール生成手段が、前記管理情報、前記条件情報および前記照射回スケジュール情報に基づいて、前記治療室ごとに所定の時間単位に算出された前記治療所要時間に基づく前記治療イベントを前記治療室スケジュールに割り当てて、当該割り当ての結果を治療室スケジュール情報として生成する治療室別スケジュール生成ステップと、
前記データ管理手段が、生成された前記治療室スケジュール情報を前記記憶手段に格納するデータ管理ステップと、を含む
ことを特徴とする粒子線治療スケジュール方法。
【発明の詳細な説明】
【技術分野】
【０００１】
本発明の実施形態は、粒子線治療での治療スケジュールを提供する粒子線治療スケジュールシステムおよび粒子線治療スケジュール方法に関する。
【背景技術】
【０００２】
粒子線治療では、陽子や重粒子イオンを加速するシンクロトロンなどの治療照射装置（加速器）が用いられる。複数の治療室が１つの加速器を共用することで施設合理化が図られている。粒子線治療にあっては、共用装置である加速器の運転中に可能な限り多くの治療室で治療照射を行えるように、また、各治療室に可能な限り多くの患者を割り当てられるように、効率の良い治療室スケジュールを立案することが重要となる。
【０００３】
なお、粒子線治療の治療室スケジュールとして決定し提示する粒子線治療スケジューリングシステムにおいて、患者個別の位置決め回数の指標となる情報及び１日当たりの照射時間とを記憶する記憶手段と、位置決め回数に位置決め１回あたりの所要時間を乗じて位置決め時間を算出し、１日当たりの照射時間に前記位置決め時間を加えた時間を患者一人当たりの治療室使用時間とする治療室使用時間推定手段と、治療室使用時間を用いて、治療室スケジュールを立案する治療室スケジュール立案手段とを備えることが記載されている（例えば、特許文献１を参照）。
【先行技術文献】
【特許文献】
【０００４】
【特許文献１】特開２０１１−１９４０６６号公報
【発明の概要】
【発明が解決しようとする課題】
【０００５】
前述した粒子線治療スケジュールシステムでは、１日あたりの治療可能時間から患者１人あたりの治療時間を求めてスケジューリングを行い、治療照射以外でスケジュールに影響を与えるパラメータ（治療準備作業、放射線技師の経験値）を考慮したスケジューリングを行う技術等が示されている。
【０００６】
しかしながら、照射自体がスケジュールに与える制約条件（複数治療室への照射ビームの振分け、複数照射における照射方向への振分け）については示されていない。粒子線治療を行う際の治療室に設置されている照射設備の制約、複数照射を加味したスケジューリングについては、運転員による経験を元に判断されており、粒子線治療スケジューリングの効率化、最適化に至っているとはいえない。この結果、粒子線治療照射装置（加速器）の稼動率を向上させた最適スケジューリングに至っていないため、治療患者、放射線技師の拘束時間を充分に減らすことができない。
【０００７】
また、前述した粒子線治療スケジュールシステムにおいて、治療患者の治療内容に合わせて、放射線治療計画が立案される。これと並行して、治療内容に合致した治療室の割当が立案される。すべての治療室において、放射線の治療計画に応じた治療が可能であればローテーションでの割り当てが可能である。しかし、治療内容によって治療室の使用制限が発生する場合、効率よく治療室の割り当てが立案されないという課題があった。
【０００８】
本発明の実施形態が解決しようとする課題は、粒子線治療設備および治療計画に応じて加速器の稼働率を高くする粒子線治療スケジュールを生成することができる粒子線治療スケジュールシステムおよび粒子線治療スケジュール方法を提供することである。
【課題を解決するための手段】
【０００９】
上記課題を解決するために、実施形態の粒子線治療スケジュールシステムは、加速器を用いた粒子線治療設備を備えた複数の治療室について治療室スケジュールを生成する粒子線治療スケジュールシステムである。当該粒子線治療スケジュールシステムは、前記治療室スケジュールを生成するための入力データを入力可能な入力手段と、前記入力手段を介して入力した前記入力データから、前記治療室スケジュールに対象となる治療患者、治療計画、照射計画、前記加速器および複数の前記治療室についての治療室設備に関する情報を含む管理情報と、前記治療室スケジュールおよび前記治療室の割り当てに関する複数の制約条件を含む条件情報とを格納する記憶手段と、前記管理情報に基づいて、前記治療室スケジュールに対象となる前記治療患者ごとの前記治療計画から治療イベントを抽出し、抽出した前記治療イベントについて治療所要時間を算出する治療所要時間算出手段と、前記管理情報および前記条件情報に基づいて、前記照射計画から所定の日時における照射回ごとのスケジュールを定める照射回スケジュール情報を生成する照射回別スケジュール生成手段と、前記管理情報、前記条件情報および前記照射回スケジュール情報に基づいて、前記治療室ごとに所定の時間単位に算出された前記治療所要時間に基づく前記治療イベントを前記治療室スケジュールに割り当てて、当該割り当ての結果を治療室スケジュール情報として生成する治療室別スケジュール生成手段と、生成された前記治療室スケジュール情報を前記記憶手段に格納するデータ管理手段とを備えることを特徴とする。
【００１０】
また、上記課題を解決するために、実施形態の粒子線治療スケジュール方法は、加速器を用いた粒子線治療設備を備えた複数の治療室について治療室スケジュールを生成するために、前記治療室スケジュールを生成するための入力データを入力可能な入力手段と、前記治療室スケジュールに対象となる治療患者、治療計画、照射計画、前記加速器および複数の前記治療室についての治療室設備に関する情報を含む管理情報と前記治療室スケジュールおよび前記治療室の割り当てに関する複数の制約条件を含む条件情報とを格納する記憶手段と、前記治療室スケジュールに対象となる前記治療患者ごとの前記治療計画から治療所要時間を算出する治療所要時間算出手段と、所定の日時における照射回ごとのスケジュールを定める照射回スケジュール情報を生成する照射回別スケジュール生成手段と、前記治療室スケジュールに治療イベントを割り当てて治療室スケジュール情報として生成する治療室別スケジュール生成手段と、前記治療室スケジュール情報を前記記憶手段に格納するデータ管理手段とを備える粒子線治療スケジュールシステムに用いられる粒子線治療スケジュール方法である。当該粒子線治療スケジュール方法は、前記入力手段が、前記管理情報と前記条件情報とを前記入力データとして入力する入力ステップと、前記記憶手段が、前記入力手段を介して前記入力データから前記管理情報と前記条件情報とを格納する記憶ステップと、前記治療所要時間算出手段が、前記管理情報に基づいて、前記治療室スケジュールに対象となる前記治療患者ごとの前記治療計画から前記治療イベントを抽出し、抽出した前記治療イベントについて前記治療所要時間を算出する治療所要時間算出ステップと、前記照射回別スケジュール生成手段が、前記管理情報および前記条件情報に基づいて、前記照射回スケジュール情報を生成する照射回別スケジュール生成ステップと、前記治療室別スケジュール生成手段が、前記管理情報、前記条件情報および前記照射回スケジュール情報に基づいて、前記治療室ごとに所定の時間単位に算出された前記治療所要時間に基づく前記治療イベントを前記治療室スケジュールに割り当てて、当該割り当ての結果を治療室スケジュール情報として生成する治療室別スケジュール生成ステップと、前記データ管理手段が、生成された前記治療室スケジュール情報を前記記憶手段に格納するデータ管理ステップと、を含むことを特徴とする。
【発明の効果】
【００１１】
本発明に係る粒子線治療スケジュールシステムおよび粒子線治療スケジュール方法の実施形態によれば、粒子線治療設備および治療計画に応じて加速器の稼働率を高くする粒子線治療スケジュールを生成することができる。
【図面の簡単な説明】
【００１２】
【図１】本発明に係る粒子線治療スケジュールシステムの第１の実施形態の構成を示すブロック図。
【図２】図1の治療計画情報の構成の一例を示す図。
【図３】図1の照射計画情報の構成の一例を示す図。
【図４】図1の治療室設備情報の構成の一例を示す図。
【図５】図1のスケジュール生成条件情報の構成の一例を示す図。
【図６】図1の治療室自動割当条件情報の構成の一例を示す図。
【図７】図1の照射回スケジュール情報の構成の一例を示す図。
【図８】図1の治療リスト情報の構成の一例を示す図。
【図９】図1の治療室スケジュール情報の構成の一例を示す図。
【図１０】第１の実施形態の粒子線治療スケジュールシステムにおける粒子線治療スケジュール処理フローを示すフロー図。
【図１１】本発明に係る粒子線治療スケジュールシステムの第２の実施形態の構成を示すブロック図。
【図１２】治療リスト情報の計画変更後の一例を示す図。
【図１３】治療リスト情報の計画変更後の治療室スケジュール情報の一例を示す図。
【図１４】本発明に係る粒子線治療スケジュールシステムの第３の実施形態の構成を示すブロック図。
【図１５】図１３の治療室スケジュール情報を再生成した一例を示す図。
【図１６】図８の治療リスト情報の編集後の一例を示す図。
【図１７】治療室スケジュール情報の他の一例を示す図。
【図１８】本発明に係る粒子線治療スケジュールシステムの第４の実施形態の構成を示すブロック図。
【図１９】治療リスト情報の編集後の他の一例を示す図。
【図２０】治療室スケジュール情報のさらに他の一例を示す図。
【図２１】本発明に係る粒子線治療スケジュールシステムの第５の実施形態の構成を示すブロック図。
【図２２】再編集出力条件情報の一例を示す図。
【発明を実施するための形態】
【００１３】
以下、本発明に係る実施形態の粒子線治療スケジュールシステムおよび粒子線治療スケジュール方法について、図面を参照して具体的に説明する。ここで、互いに同一または類似の部分には共通の符号を付して、重複する説明は省略する。ここで説明する下記の実施形態はいずれも、加速器を用いた粒子線治療についての粒子線治療スケジュールシステムおよび粒子線治療スケジュール方法の一例をとりあげて説明する。
【００１４】
［第１の実施形態］
図１は、本発明に係る粒子線治療スケジュールシステムの第１の実施形態の構成を示すブロック図である。以下、図２ないし図１０を参照しながら、図１に示す第１の実施形態の粒子線治療スケジュールシステムについて説明する。
【００１５】
なお、図２は図１の治療計画情報の構成の一例を示し、図３は図１の照射計画情報の構成の一例を示し、図４は図１の治療室設備情報の構成の一例を示す図である。また、図５は図1のスケジュール生成条件情報の構成の一例を示し、図６は図1の治療室自動割当条件情報の構成の一例を示す図である。また、図７は図１の照射回スケジュール情報の構成の一例を示し、図８は図１の治療リスト情報の構成の一例を示し、図９は図１の治療室スケジュール情報の構成の一例を示す図である。さらに、図１０は、第１の実施形態の粒子線治療スケジュールシステムにおける粒子線治療スケジュール処理フローを示すフロー図である。
【００１６】
図１に示す粒子線治療スケジュールシステム１ａは、粒子線加速器（以下、加速器と記す）などの粒子線治療装置が複数の治療室により共用される場合に、１日の中で各々の治療室に割り当てる患者やその順序を粒子線治療スケジュールとして決定して提示するシステムである。
【００１７】
粒子線治療スケジュールシステム１ａは、図１に示すように、入力手段２、記憶手段３、治療所要時間算出手段４、治療室別スケジュール生成手段５、データ管理手段６、データ提供手段７および照射回別スケジュール生成手段８を備えている。
【００１８】
入力手段２は、キーボードやマウスなどの操作デバイスを有し、オペレータなどからの指示入力に従って各種の情報を入力し、各種の情報として記憶手段３に記憶させる。また、入力手段２から、記憶手段３を介して、その他の機能手段へ入力データを受け渡し可能である。
【００１９】
記憶手段３は、治療室スケジュールを策定する上で必要な情報を格納する。記憶手段３は、必要な情報として、例えば管理情報３０１と、条件情報３０２と、照射回スケジュール情報３１０と、治療リスト情報３１１とを格納する。管理情報３０１は、例えば治療室スケジュールに対象となる治療患者、治療計画、照射計画、加速器および複数の治療室についての治療室設備に関する情報を含む。条件情報３０２は、例えば治療室スケジュールおよび治療室の割り当てに関する複数の制約条件を含む。条件情報３０２は、複数の制約条件に対する条件判断の組み合わせの定義を含む。
【００２０】
管理情報３０１は、例えば治療患者情報３１、治療計画情報３２、照射計画情報３３、加速器稼動情報３４、治療室設備情報３５、治療イベント所要時間情報３７および治療室スケジュール情報３８に区分されて格納される。条件情報３０２は、例えばスケジュール生成条件情報３６および治療室自動割当条件情報３９に区分されて格納される。以下、これらの記憶手段３に格納（記憶）される情報について説明する。
【００２１】
はじめに、図１に示す管理情報３０１の各々の情報について説明する。
【００２２】
治療患者情報３１は、治療する患者を特定するための情報である。治療患者情報３１には、例えば患者ごとに一意に定められた患者ＩＤ（患者識別番号）に関連付けられて、患者の氏名、性別などの個人情報や、患者の病状、治療履歴、治療可能期間（例えば患者の都合等）などを含む。治療患者情報３１は、予め定義されて記憶手段３に格納される。治療患者情報３１は、逐次、更新、変更、削除等可能である。
【００２３】
治療計画情報３２は、患者ごとの治療日程、粒子線治療の照射条件などに関する情報である。治療計画情報３２は、予め定義されて記憶手段３に格納される。治療計画情報３２は、逐次、更新、変更、削除等可能である。図２に、治療計画情報３２の一例を示す。以下、図２に示す治療計画情報３２について説明する。
【００２４】
治療計画情報３２は、例えば患者ＩＤ、治療計画ＩＤ、治療部位、照射回数、治療開始予定日、治療終了予定日などを含む。
【００２５】
患者ＩＤは、患者を特定するために、一意に識別番号が定められる。患者ＩＤは、例えば「００７」である。治療計画ＩＤは、患者ごとの治療計画を特定するための識別番号である。治療計画ＩＤは、例えば「１０１０」である。
【００２６】
治療部位は、患者ＩＤで特定される患者の肝臓、腎臓、肺等の治療対象の部位である。照射回数は、１日に何回の照射を行うかを示す。治療開始予定日は、患者ごとの粒子線治療を開始する予定日である。治療終了予定日は、患者ごとの粒子線治療を終了する予定日である。
【００２７】
照射計画情報３３は、治療計画情報３２に関連付けられた粒子線治療の照射計画に関する情報である。照射計画情報３３は、予め定義されて記憶手段３に格納される。照射計画情報３３は、逐次、更新、変更、削除等可能である。図３に、照射計画情報３３の一例を示す。以下、図３に示す照射計画情報３３について説明する。
【００２８】
照射計画情報３３は、例えば治療計画ＩＤ、照射計画ＩＤ、治療部位、照射位置、エネルギー、ポート、ポート照射回数、治療開始予定日、治療終了予定日などを含む。治療計画ＩＤ、治療部位、治療開始予定日および治療終了予定日については、治療計画情報３２で説明した通りである。
【００２９】
照射計画ＩＤは、照射計画を特定するための識別番号である。照射計画ＩＤは、一つの照射計画ごとに一意に定められる。照射位置は、患者の照射部位に対して粒子線を照射する照射方向である。エネルギーは、粒子線の照射エネルギーを示す。ポートは、照射方向を定める照射口であり、例えば垂直の場合には垂直方向を定める照射口、水平の場合には水平方向を定める照射口を示す。ポート照射回数は、ポートから粒子線が照射される回数を示す。
【００３０】
加速器稼動情報３４は、加速器の加速器稼働条件に関する情報である。加速器稼動情報３４は、例えば加速器の稼動／非稼働が設定された日および時間を含む。この他にも日ごと又は時間帯ごとの粒子線ビームの種類やエネルギーなどの加速器特性、この加速器特性の切り替えタイミングなどを含んでもよい。加速器稼動情報３４は、予め定義されて記憶手段３に格納される。
【００３１】
治療室設備情報３５は、治療室ごとに治療室の設備に関する使用条件の情報である。例えば、対応可能な照射条件、使用可能時間などの使用条件である。治療室設備情報３５は、予め定義されて記憶手段３に格納される。図４に、治療室設備情報３５の一例を示す。以下、図４に示す治療室設備情報３５について説明する。
【００３２】
治療室設備情報３５には、例えば治療室ごとに、垂直方向および水平方向からなる照射タイプ（照射方向）、垂直方向割当順位３５１および水平方向割当順位３５２からなる治療室間の割当順位、最大エネルギー、使用可能開始時刻、使用可能終了時刻などを含む。
【００３３】
照射タイプには、垂直方向および水平方向の少なくともいずれか一つの方向が設定される。例えば、垂直方向から照射可能であればデータとして“１”が設定され、不可であれば“０”が設定される。水平方向についても同様である。
【００３４】
治療室間の割当順位は、各治療室の照射タイプについて割り当ての優先順位が設定される。例えば、図４に示す治療室Ａ〜Ｃにおいて、垂直方向割当順位３５１は、治療室Ａが優先順位＝１（最も高い）、治療室Ｂが優先順位＝２（次に高い）、治療室Ｃが優先順位＝−１（割り当てなし）と予め設定される。
【００３５】
最大エネルギーは、照射可能な最大のエネルギー区分を示す。例えば、治療室Ａの最大エネルギーは４００であるため、エネルギー区分＝２９０、３５０、４００などの照射条件である場合には治療室Ａの使用条件の一つを満足する。
【００３６】
使用可能開始時刻は治療室ごとの使用を開始できる時刻であり、使用可能終了時刻は治療室ごとの使用を終了しなければならない時刻である。
【００３７】
治療室設備情報３５には、後から発生する他患者の治療イベントに対して、割当困難となるリスクを低下させるための割当順位（例えば図４の垂直方向割当順位３５１、水平方向割当順位３５２）を設定しておく。例えば、ある治療イベント（照射タイプ＝垂直）を治療室に割り当てる際に、垂直のみに対応している治療室Ａと垂直／水平両方に対応している治療室Ｂともに可能な場合、治療室Ａに割り当てておくことで、後から発生した治療イベントは照射タイプに関わらず、治療室Ｂに割り当てが可能となる。すなわち、後から治療イベントにおける治療室の振り分けに選択範囲が広がることになる。
【００３８】
治療イベント所要時間情報３７は、照射回あたりに要する各種の治療イベント（治療内容）の所要時間が定義された情報である。治療イベント所要時間情報３７は、予め定義されて記憶手段３に格納される。
【００３９】
次に、図１に示す条件情報３０２の各々の情報について説明する。なお、管理情報３０１に含まれる治療室スケジュール情報３８については後述する。
【００４０】
スケジュール生成条件情報３６は、粒子線治療スケジュールを立案するときの生成条件が定義される情報である。スケジュール生成条件情報３６は、予め定義されて記憶手段３に格納される。また、スケジュール生成条件情報３６は、入力手段２等を介して、逐次、更新・追加・削除等が可能である。図５に、スケジュール生成条件情報３６の一例を示す。以下、図５に示すスケジュール生成条件情報３６について説明する。
【００４１】
スケジュール生成条件情報３６は、例えば粒子線治療スケジュールの生成条件を定める複数の制約条件ごとに、各々の条件を定めるため予め定義される。これらの制約条件の定義は、入力手段２から入力可能な形式に対応して、設定される。
【００４２】
例えば、図５の条件１＝「患者が治療を受けることができない日または時間帯を治療室の使用日または使用時間帯として割り当てないようにして、治療室スケジュールを立案する。」などである。
【００４３】
条件１は、例えば「患者が治療を受けることができない日」、「患者が治療を受けることができない時間帯」、「治療室の使用日」、「治療室の使用時間帯」などのように項目に区分されて、各々の項目に対応する数値条件が判断基準とされるようにスケジュール生成条件情報３６が設定される。また、条件２は、例えば「一週間の治療回数上限Ｕ回」のように項目に区分される。すなわち、条件２は、この治療回数上限を満たすように、治療室スケジュールを立案（生成）するための生成条件の要素となる。その他の条件３〜７についても同様である。また、スケジュール生成条件情報３６は、複数の制約条件の論理和、論理積、条件分岐等の条件判断の組み合わせの定義を含んでもよい。例えば、条件１と条件２との論理積からなる条件判断で定義されるなどである。
【００４４】
治療室自動割当条件情報３９は、複数の治療室で加速器を共有する上で、効率的、かつ、できるだけ多くの患者を治療するための条件を定めるための情報である。治療室自動割当条件情報３９は、予め定義されて記憶手段３に格納される。また、治療室自動割当条件情報３９は、入力手段２等を介して、逐次、更新・追加・削除等が可能である。図６に、治療室自動割当条件情報３９の一例を示す。以下、図６に示す治療室自動割当条件情報３９について説明する。
【００４５】
治療室自動割当条件情報３９は、例えば複数の制約条件ごとに、各々の条件を定めるように予め定義されている。これらの条件の定義は、入力手段２から入力可能な形式に対応して、設定される。
【００４６】
例えば、図６の条件１＝「加速器の使用時間帯が治療室間で重ならない、かつ、加速器の未使用時間が最小（または規定値以下）になるように患者を治療室に割り当てる。」などである。「治療室間で使用時間帯が重ならない」、「未使用時間が最小（または規定値以下）」などのように項目に区分されて、治療室自動割当条件情報３９に含まれる。また、その他の条件２〜４についても同様である。また、治療室自動割当条件情報３９は、複数の制約条件の論理和、論理積、条件分岐等の条件判断の組み合わせの定義を含んでもよい。例えば、条件１と条件２との論理積からなる条件判断で定義されるなどである。
【００４７】
以上説明したような治療室自動割当条件情報３９に含まれる制約条件は、治療室別スケジュール生成手段５が治療室スケジュール情報３８を生成する際に用いられる。
【００４８】
次に、対象となる治療室スケジュールが生成される前に生成される、抽出された情報を含む中間リスト（作業データ）である照射回スケジュール情報３１０および治療リスト情報３１１について説明する。
【００４９】
照射回スケジュール情報３１０は、スケジュール生成条件情報３６を元に生成された照射計画ＩＤごとに照射予定と、照射回ごとの治療室に関する情報とを含む。照射回スケジュール情報３１０は、治療室スケジュール情報３８を生成するために、照射の振り分けを行なうための中間リスト（予め用意されるものでない）として生成され、用いられる。図７に、照射回スケジュール情報３１０の一例を示す。以下、図７に示す照射回スケジュール情報３１０について説明する。
【００５０】
照射回スケジュール情報３１０は、例えば照射回ごとに、照射スケジュール３１０１（日時、照射計画ＩＤを含む）、治療室候補３１０２、治療室確定３１０３を含む情報である。照射スケジュール３１０１は、対象となる治療計画と関連付けられた照射計画ＩＤに対して、照射が可能な場合には「○」（白丸、特定可能なデータ等で登録）とされ、照射ができない場合には「○」とされない。治療室候補３１０２は、例えば治療室が治療室Ａ〜Ｃから割り当てられる場合に、使用可能な候補に挙げられるものが抽出される。治療室確定３１０３は、抽出された治療室候補３１０２から治療室が選択された結果を示すものである。
【００５１】
例えば、図７において、照射回＝１には、照射計画ＩＤ＝１０１０２０および１０１０２１にて照射可能（「○」）とされ、治療室候補３１０２には垂直方向および水平方向に割り当て可能な治療室Ｂが選択されている。その他の照射回２〜１６についても同様である。
【００５２】
治療リスト情報３１１は、治療予定日および照射計画に基づいた複数の患者の一覧と、粒子線治療器の照射タイプ（照射方向）、エネルギー区分および連続性（照射連続性とする）に関する情報である。治療リスト情報３１１は、治療室スケジュール情報３８を生成するために、治療室へ振り分けを行なうための中間リスト（予め用意されるものでない）として生成され、記憶手段３に保存される。なお、この場合に、最終リストは治療室スケジュール情報３８とされ、中間リストと紐付けられる。以下、図１の治療リスト情報３１１の一例として、図８に示す治療リスト情報３１１ａについて説明する。
【００５３】
治療リスト情報３１１ａは、例えば治療予定日、照射計画ＩＤ、患者ＩＤ、照射タイプ、エネルギー区分、連続性などを含む。さらに、治療予定日、照射計画ＩＤおよび患者ＩＤ（治療患者）ごとに、照射タイプ、エネルギー区分、連続性などが関連付けられ抽出される。照射タイプは、垂直方向および水平方向の少なくともいずれか一つの照射方向である。エネルギー区分は、照射のエネルギー区分を示す。連続性は、連続照射の有無を示す。なお、その他の項目については、前述した通りである。
【００５４】
例えば、図８の治療リスト情報３１１ａでは、治療予定日「２０１２／４／２１」、照射計画ＩＤ「ＮＮＮＮＮＮ」および治療患者「患者１０１」ごとに、照射タイプ「垂直」、エネルギー区分「２９０」、連続性「−」（該当しない）が抽出されている。その他についても、同様である。なお、照射計画ＩＤ「ＮＮＮＮＮＮ」は、実際には異なる識別番号であるが、図示簡略化するために同一符号で示している。その他の図についても同様とする。
【００５５】
次に、治療室スケジュールが立案（生成）された結果の情報である治療室スケジュール情報３８について説明する。
【００５６】
治療室スケジュール情報３８は、治療室ごとの治療イベントがスケジューリングされる情報である。すなわち、治療室スケジュール情報３８には、各治療イベントに応じて、治療室の割り当て状況、各治療室の占有予定時間および加速器を使用する予定時間が格納さる。治療室スケジュール情報３８は、本粒子線治療スケジュールシステム１ａにより生成される治療室スケジュールに関する情報である。生成後に、治療室スケジュール情報３８は、記憶手段３に格納される。図９に、治療室スケジュール情報３８の一例を示す。以下、図９に示す治療室スケジュール情報３８ａについて説明する。
【００５７】
治療室スケジュール情報３８ａは、例えばスケジュールの時間単位であるコマごとに、そのコマに対応する開始時刻（時間）、各治療内容（治療イベント）に応じて治療室への割り当て状況、加速器の使用有無に関する情報を含む。
【００５８】
図９に示す治療室スケジュール情報３８ａでは、コマ「０１」には時間「８：００」〜「８：２０」までの時間が割り当てられ、コマ「０２」には時間「８：２０」〜「８：４０」までの時間が割り当てられている。その他についても同様であり、コマ「３３」まで時間が割り当てられている。なお、例えばコマ「０１」〜「３３」の各々の治療イベントからなる治療室スケジュール３８０とする。
【００５９】
治療室は３つの治療室Ａ〜Ｃが備えられており、そのうちの治療室Ａ（垂直）は照射タイプが垂直方向のみに対応したものであることを示す。また、治療室Ｂ（垂／水）は照射タイプが垂直方向および水平方向に対応し、治療室Ｃ（水平）は照射タイプが水平方向のみに対応するものであることを示す。
【００６０】
加速器の占有は、患者ごとの治療所要時間と、その中で加速器を占有する必要がある治療イベントを示す。例えば、図９において、線量測定、治療照射など［●］（黒丸、特定可能なデータ等で登録）で記載したものである。
【００６１】
治療所要時間算出手段４は、照射計画情報３３、治療イベント所要時間情報３７および照射回スケジュール情報３１０などに基づいて、患者の照射回あたりの治療所要時間を算出する。治療所要時間算出手段４は、算出した治療所要時間を、治療室別スケジュール生成手段５に出力する。
【００６２】
照射回別スケジュール生成手段８は、スケジュール生成条件情報３６に基づいて、照射計画ＩＤ回単位に照射回への照射回振り分けを行う。その振り分けの結果を、照射回別スケジュール生成手段８は、照射回スケジュール情報３１０の照射計画ＩＤ（例えば図７に示す３１０１）に更新する。
【００６３】
さらに、照射回別スケジュール生成手段８は、その結果を図７に示す照射回スケジュール情報３１０の照射回、日時（照射日）、および照射計画ＩＤごとに、治療リスト情報３１１に登録するために必要な情報を、治療患者情報３１〜治療室設備情報３５から抽出する。そして、照射回別スケジュール生成手段８は、各照射回の照射に関する情報を当該治療予定日の治療リスト情報３１１（例えば図８の治療リスト情報３１１ａ）に登録する。登録完了後に、照射回別スケジュール生成手段８は、治療室別スケジュール生成手段５にその旨を通知する。
【００６４】
治療室別スケジュール生成手段５は、通知された情報と治療リスト情報３１１、治療室設備情報３５、治療室自動割当条件情報３９から割り当て可能な治療室候補を照射回スケジュール情報３１０の治療室候補３１０２（図７）として抽出する。治療室別スケジュール生成手段５は、例えば患者ごとに異なる治療所要時間と治療室間の加速器使用時間間隔が最小（例えば治療室自動割当条件情報３９により目標値＝０）、かつ、治療室設備情報３５の垂直方向割当順位３５１と水平方向割当順位３５２に従って、治療室候補３１０２から治療室確定３１０３を決定する。
【００６５】
治療室確定３１０３を決定した後、治療室別スケジュール生成手段５は、治療室ごとに図９に示す治療イベントを時間単位（コマ）ごとに割り当てて配置して治療室スケジュール３８０を生成する。これにより、例えば図９に示すような治療室スケジュール情報３８ａが治療室別スケジュール生成手段５により生成され、データ管理手段６を介して記憶手段３に格納される。
【００６６】
なお、治療室設備情報３５には、前述したように、後から発生する他患者の治療イベントに対して割り当て困難となる事態を低下させるために、割当順位（図４に示す垂直方向割当順位３５１および水平方向割当順位３５２）が予め設定されている。例えば、治療室設備情報３５に、照射タイプが垂直のみに対応している治療室Ａと、照射タイプが垂直／水平両方に対応している治療室Ｂと共に割り当て可能であると設定されているとする。治療室別スケジュール生成手段５は、例えば照射タイプ＝垂直の設定である治療イベントを治療室に割り当てる場合に、治療室設備情報３５に基づいてこの治療イベントを優先的に治療室Ａに割り当てる。これにより、照射回別スケジュール生成手段８は、後から発生した他の治療イベントについて、照射タイプに関わらず、治療室Ｂに割り当てることができる。
【００６７】
図９の治療室スケジュール情報３８ａに示すように、治療室別スケジュール生成手段５は、加速器を占有する治療イベント（図９の測定、治療照射など［●］で記載）が重ならないように、治療室Ａ〜Ｃに患者ごとの治療イベントを割り当てて配置する。この結果、加速器を占有する時間帯が複数の治療室間で重複することなく、複数の治療室で連続使用することができる。
【００６８】
図９の治療室スケジュール情報３８ａの例では、１コマ最小２０分、全３３コマとして記載しているが、１コマあたりの最小時間はシステムとして変更可能である。また、１患者に対して、照射タイプが単方向である治療室Ａおよび治療室Ｃには各々に最大４コマ、二方向の治療室Ｂには最大５コマの治療イベントが割り当てられている。なお、各患者の治療内容によって、割り当てられる治療イベント数は異なる。また、照射タイプは１種類でも、多門照射など照射ポート数が増えるほど、治療イベント数は多く割り当てられ、それに応じて１患者の治療時間は長くなる。
【００６９】
データ管理手段６は、生成された治療室スケジュール情報３８やスケジュール再編集に関する情報などについて、これらのデータを追加、変更、読み出し等を行う。データ管理手段６は、これらの情報に基づいて、記憶手段３を管理する。
【００７０】
例えば、データ管理手段６は、治療室別スケジュール生成手段５により生成された治療室スケジュール情報３８を記憶手段３に格納する。また、データ管理手段６は、治療室スケジュール情報３８に関する治療室スケジュールをデータ提供手段７に出力する。例えば、治療室スケジュールは、データ管理手段６により、表形式で表示可能なデータに加工、または変換等される。
【００７１】
データ提供手段７は、データ管理手段６から受信した治療室スケジュールなどのデータを外部に提供する。データ提供手段７は、例えば治療室スケジュールを表示するモニタや、それらを印字するプリンタなどである。また、図示しないネットワークを介して、治療室スケジュールを含むデータを送信するためのネットワークカードなどを含んでもよい。
【００７２】
以下、図１に示す粒子線治療スケジュールシステム１ａの粒子線治療スケジュール処理フローについて、図１０を参照しながら説明する。
【００７３】
粒子線治療スケジュール処理が開始されると、入力手段２が管理情報３０１と条件情報３０２とを入力データとして入力する（ステップＳ１）。
【００７４】
次に、記憶手段３が、入力手段２を介して、入力データから管理情報３０１と条件情報３０２とを格納する（ステップＳ２）。
【００７５】
次に、治療所要時間算出手段４が、管理情報３０１に基づいて、治療室スケジュールに対象となる治療患者ごとの治療計画から治療イベントを抽出し、抽出した治療イベントについて治療所要時間を算出する（ステップＳ３）。
【００７６】
次に、照射回別スケジュール生成手段８が、管理情報３０１および条件情報３０２に基づいて、照射回スケジュール情報３１０を生成する（ステップ４）。
【００７７】
次に、治療室別スケジュール生成手段５が、管理情報３０１、条件情報３０２および照射回スケジュール情報３１０に基づいて、治療室ごとに所定の時間単位に算出された治療所要時間に基づく治療イベントを治療室スケジュール３８０に割り当てて、当該割り当ての結果を治療室スケジュール情報３８として生成する（ステップＳ５）。
【００７８】
次に、データ管理手段６が、生成された治療室スケジュール情報３８を記憶手段３に格納する（ステップＳ６）。データ格納後、本処理は終了する。
【００７９】
以上説明したように、第１の実施形態によれば、患者の一連の治療に対して、加速器を使用する時間帯、使用しない時間帯に区別して治療イベントを管理し、後から発生する他患者の治療イベントの内容によらず、割り当て可能な治療室の選択肢を増やすための割当順位にしたがって治療室を割り当てることができる。
【００８０】
また、照射部位などの治療内容による治療時間の計算に加えて、照射タイプ、使用エネルギーなどを加味し、一連の治療において、加速器を使用する時間帯、使用しない時間帯を計算し、加速器の使用条件に基づいた治療室の割り当てを決定する。
【００８１】
以上により、粒子線治療設備および治療計画に応じて加速器の稼働率を高くする粒子線治療スケジュールを生成することができる。
【００８２】
［第２の実施形態］
図１１は、本発明に係る粒子線治療スケジュールシステムの第２の実施形態の構成を示すブロック図である。また、図１２は治療リスト情報の計画変更後の一例を示す図であり、図１３は治療リスト情報の計画変更後の治療室スケジュール情報の一例を示す図である。なお、第１の実施形態と同一または類似の構成には、共通の符号を付し、重複する説明は省略する。また、第３の実施形態以降の実施形態についても同様である。
【００８３】
図１１に示す粒子線治療スケジュールシステム１ｂは、図１に示す粒子線治療スケジュールシステム１ａの構成と比べて、さらにスケジュール再編集通知手段９を備えている。粒子線治療スケジュールシステム１ｂは、第１の実施形態で説明した機能の作用および効果に加えて、スケジュール再編集通知手段９により以下の作用、効果を実現する。
【００８４】
スケジュール再編集通知手段９は、治療室スケジュール情報３８を監視する。この監視対象となる監視パラメータとして、例えば治療室スケジュール情報３８に含まれる加速器稼働率３８１および治療患者数３８２であるとする。例えば、スケジュール再編集通知手段９は、加速器稼働率３８１が所定の値（例えば８０％）を超えてから監視パラメータの閾値（例えば７０％）まで低下したときに、オペレータに治療室スケジュール情報３８の編集要求を通知する。
【００８５】
以下、図９に示す治療室スケジュール情報３８ａを例にして説明する。例えば、治療内容が複雑でない場合に、加速器稼働率３８１＝８７％、治療患者数３８２＝１３名であり、治療室スケジュール３８０として良好な状態であるとする。
【００８６】
一方、治療内容が複雑な場合に、スケジュール生成条件情報３６の条件７（図５の３６１）に従ったスケジュールが立案できなかったり、また、患者の容態変化による治療中止などを理由に、治療スケジュールの変更が発生することがある。
【００８７】
例えば、図８に示す治療リスト情報３１１ａに基づいて、図９の治療室スケジュール情報３８ａ（例えば治療室割り当て良好事例とする）が生成されているとする。この治療室スケジュール情報３８ａから治療室スケジュール３８０の計画変更が発生した場合について、図１２を用いて説明する。
【００８８】
図１２の治療リスト情報３１１ｂにおいて、治療イベント３１１１、３１１２、３１１３が中止（二重取消線で示す）になり、患者１１４の治療イベント３１１４が追加になる計画変更があったとする。これにより、図８の治療リスト情報３１１ａの変更が伴うため、治療室別スケジュール生成手段５により図１３に示す治療室スケジュール情報３８ｂのように更新（生成）が行なわれる。
【００８９】
図１３では、図１２に示す治療イベント３１１４を割り当て可能な治療室スケジュール３８０の時間帯のコマが存在しない状態となっている。また、加速器稼働率３８１も８７％（図９）から７０％（図１３）まで低下している。
【００９０】
スケジュール再編集通知手段９は、治療室スケジュール３８０について、任意の治療イベントの割り当てエラーや、加速器稼働率３８１および治療患者数３８２などの監視パラメータを周期的に監視する。監視した結果、警告通知（編集要求を通知）を行う通知要件が成立した場合に、スケジュール再編集通知手段９は、データ管理手段６およびデータ提供手段７を介して、オペレータに当該警告を通知し、治療室スケジュール３８０の再立案を促す。
【００９１】
例えば、スケジュール再編集通知手段９は、治療室スケジュール情報３８の治療室スケジュール３８０を参照し、加速器稼働率３８１が所定の稼働率の閾値より低い場合、または、治療患者数３８２が所定の人数の閾値より少ない場合などに、データ管理手段６に警告を通知する。この警告を受けたデータ管理手段６が、データ提供手段７を介して、オペレータに通知する。データ提供手段７が、例えば図示しない表示装置に警告内容を表示する。
【００９２】
第２の実施形態によれば、第１の実施形態の効果に加えて、任意の治療日において、治療イベント中止などに伴う加速器の稼働率低下、すなわち、加速器未使用時間の増加をオペレータに通知して、粒子線治療スケジュールの再編集を促すことができる。また、新たに追加された治療イベントの割り当てエラーを事前に警告して、スケジュールミスを防止することができる。
【００９３】
［第３の実施形態］
図１４は、本発明に係る粒子線治療スケジュールシステムの第３の実施形態の構成を示すブロック図である。図１５は図１３の治療室スケジュール情報を再生成した一例を示す図であり、図１６は図８の治療リスト情報の編集後の一例を示す図である。図１７は、治療室スケジュール情報の他の一例を示す図である。
【００９４】
図１４に示す粒子線治療スケジュールシステム１ｃは、図１１に示す粒子線治療スケジュールシステム１ｂの構成と比べて、さらにスケジュール再編集手段１０を備えている。
【００９５】
第３の実施形態の粒子線治療スケジュールシステム１ｃは、第２の実施形態で説明した機能の作用および効果に加えて、スケジュール再編集手段１０により以下の作用、効果を実現する。
【００９６】
スケジュール再編集手段１０は、スケジュール再編集通知手段９から受信したスケジュール再編集通知に基づいて、編集された治療リスト情報３１１に基づいて、治療室スケジュール情報３８を再生成する。
【００９７】
スケジュール再編集手段１０は、再編集後の治療リスト情報３１１ｂ（図１２）に基づいて、患者の一連の治療に対して、加速器を使用する時間帯、使用しない時間帯に区別して治療イベントを管理し、治療室設備情報３５の割り当て順位にしたがって治療室を割り当てることができ、加速器稼動率３８１を高めるように治療室スケジュール情報３８を再生成する。
【００９８】
例えば、図８の治療リスト情報３１１ａに基づいて図９の治療室スケジュール情報３８ａが生成された後に、スケジュール再編集手段１０がスケジュール再編集通知手段９から図１２の治療リスト情報３１１ｂに再編集された通知（スケジュール再編集通知）を受信したとする。この通知を受信したスケジュール再編集手段１０は、図１２の再編集された治療リスト情報３１１ｂに基づいて、図９の治療室スケジュール情報３８ａに基づく治療室スケジュール３８０を編集する。
【００９９】
具体的には、図１２に示すように、治療イベント３１１１、３１１２および３１１３の削除（二重取り消し線）と、患者１１４の治療イベント３１１４の追加とにより、治療リスト情報３１１ｂの変更が伴うため、スケジュール再編集手段１０は、以下に説明するように、例えば図１５の治療室スケジュール情報３８ｘを再生成する。
【０１００】
例えば、治療イベントの削除が行われた場合、スケジュール再編集手段１０は、“削除”情報が設定された治療リスト情報３１１ｂ（図１２）に対して、削除された情報はスケジューリングから除外する。スケジュール再編集手段１０は、当初発生した順序で生成された治療室スケジュール情報３８ａ（当初予定されていたスケジュールとする）に対して、当初予定されていた治療室スケジュール３８０を大きく変えることなく、削除された治療イベントを治療室スケジュール３８０から除外して治療室スケジュール３８０の再配置を行う。そして、スケジュール再編集手段１０は、治療リスト情報３１１ｂの治療イベントの追加に対して、当初予定されていた患者の治療順番などの治療室スケジュール３８０を大きく変えることなく、治療室スケジュール３８０の再配置を行う。
【０１０１】
さらに、スケジュール再編集手段１０は、図１５に示すように、加速器稼働率３８１を治療室スケジュール３８０の再配置前の７０％（図１３）から治療室スケジュール３８０の再配置後の８１％（図１５）に高めるように再配置を行い、図１５に示す治療室スケジュール情報３８ｘを再生成する。
【０１０２】
また、図９に示す治療室スケジュール情報３８ａの例において、例えば治療室Ｂの照射タイプ＝垂直／水平の場合、一人の患者１０２に必要な治療イベントの時間帯は５コマ（準備、測定、治療１、治療２、後片付け）となる。また、最大コマ数＝３３に対して、照射タイプ＝垂直／水平の患者は最大６人までしか割り当てることができない。
【０１０３】
このような場合に、スケジュール再編集手段１０は、治療イベントのうちで照射タイプおよびエネルギー区分が同じであると判定すると、治療イベントのうちから線量測定イベントを省略するか否か判断することができる。
【０１０４】
例えば、図１６の治療リスト情報３１１ｃの例では、照射タイプ＝垂直／水平が最大コマ数＝３３を超える患者２０１〜２０７の７人（３５コマ分）が登録されているため、エネルギー区分が同じであれば、スケジュール再編集手段１０は、線量測定イベント（図１７の「測定」）を省略して、治療室スケジュール３８０を編集する。これにより、図１７に示す治療室スケジュール情報３８ｃを再生成する。線量測定イベントは、例えばテスト照射を行う測定である。なお、図１６の連続性「有り」は、前の照射計画とエネルギー区分が同じである場合に、連続照射可能であることを示している。
【０１０５】
例えば、図１７に示すように、患者２０１と患者２０２とのエネルギー区分＝２９０／２９０で同じであるため、患者２０１の治療を患者２０２の治療より先の治療イベントの時間帯のコマに割り当てた場合に、患者２０１の治療イベントの時間帯は５コマ（準備、測定、治療１、治療２、後片付け）となり、患者２０２の治療イベントの時間帯は４コマ（準備、治療１、治療２、後片付け）となる。すなわち、スケジュール再編集手段１０は、患者２０２の線量測定イベントを省略して、割り当てる。また、同様に、患者２０３の線量測定イベントも省略して、割り当てる。
【０１０６】
以上のように、スケジュール再編集手段１０は、図１７に示すように、他の患者についても同様な割り当てを行い、患者２０１〜２０７の線量測定イベントの省略がないとした場合の３５コマ分の割り当てを、３２コマ分の治療イベントの時間帯に再割り当てするように再編集することができる。この結果、図１７に示すように、スケジュール再編集手段１０により再編集された治療室スケジュール情報３８ｃが再生成される。
【０１０７】
なお、以上のような、治療イベントのうちから線量測定イベントを省略するか否かの判断および再割り当てを、治療室別スケジュール生成手段５が実施し、例えば治療室スケジュール情報３８ｃを生成してもよい。
【０１０８】
従来では、各照射回において、各患者に対する治療を行う前に、照射を行うための使用エネルギーが適正かどうかのテスト照射が行われる。患者ごとに治療内容が異なるため、無作為に治療スケジュールを計画した場合、従来のシステムでは、患者ごとに使用するエネルギーに対して、すべてのテスト照射が必要となっていた。
【０１０９】
しかし、第３の実施形態では、異なる患者間においても、使用エネルギーが同じで、かつ、治療室の使用条件が一致した場合に、これらの患者間での連続した粒子線治療スケジュールを考慮することで、テスト照射を省略することができる。この結果、トータルの治療時間の短縮を図ることができる。このように、異なる患者間においても、治療内容の同一性を判断して、治療の総時間を短縮するように、治療室を振り分けることができる。
【０１１０】
また、第３の実施形態によれば、治療イベント中止などに伴う加速器の稼動率低下、すなわち、加速器未使用時間の増加に対して粒子線治療スケジュールを当初予定した患者の治療順番を大きく変えることなく、かつ、加速器稼動率を高めるように粒子線治療スケジュールを再生成することができる。なお、第３の実施形態による効果は、第２の実施形態による効果も含むことは言うまでもない。
【０１１１】
［第４の実施形態］
図１８は、本発明に係る粒子線治療スケジュールシステムの第４の実施形態の構成を示すブロック図である。図１９は、治療リスト情報の編集後の他の一例を示す図である。図２０は、治療室スケジュール情報のさらに他の一例を示す図である。
【０１１２】
図１８に示す粒子線治療スケジュールシステム１ｄは、図１４に示す粒子線治療スケジュールシステム１ｃの構成と比べて、さらに治療リスト編集手段１１を備えている。
【０１１３】
第４の実施形態の粒子線治療スケジュールシステム１ｄは、第３の実施形態で説明した機能の作用および効果に加えて、治療リスト編集手段１１により以下の作用、効果を実現する。
【０１１４】
第３の実施形態による粒子線治療スケジュールシステム１ｃでは、治療室の割り当てを行なうにあたり、照射タイプの偏り、すなわち、特定の治療室に偏る（例えば図１６の治療室Ｂに偏る）場合に、スケジュール再編集を実施しても十分な効果が得られない場合がある。本実施形態では、以下に説明するような、照射タイプの偏りを抑える処理を実行する機能を有する。
【０１１５】
前述した第３の実施形態の方法で効果が得られない場合には、オペレータが入力手段２を介して、治療リスト情報編集を要求する。治療リスト情報編集の要求が、入力手段２を介して、治療リスト編集手段１１に通知される。
【０１１６】
治療リスト編集手段１１は、オペレータからの治療リスト情報３１１（中間リスト）の編集要求に対して、治療室スケジュール情報３８を再生成するために中間リストである治療リスト情報３１１の編集を行なう。これにより、オペレータは、新たに治療スケジュールを生成することなく、既に生成された治療室スケジュール情報３８の元となった治療リスト情報３１１を編集することにより、容易に治療患者の治療スケジュールの削除または追加等を行い、それに対応した治療室スケジュール情報３８を再生成することができる。
【０１１７】
図１６に、治療リスト情報３１１ｃに照射タイプが治療室Ｂ（垂直／水平）のみである偏りがある例を示す。治療リスト編集手段１１は、治療室ＡおよびＣにも治療イベントを割り当てるように治療リスト情報３１１ｃを編集する。編集した結果、治療リスト編集手段１１は、例えば図１９に示す治療リスト情報３１１ｄを得る。
【０１１８】
具体的には、治療リスト編集手段１１は、治療リスト情報編集の要求を受けると、例えば治療リスト情報３１１ｃを更新（編集）する。治療リスト編集手段１１は、管理情報３０１に基づいて、照射タイプ、エネルギー区分の順に照射連続性を考慮した治療リスト情報３１１ｄに編集する。編集完了後、治療リスト編集手段１１は、スケジュール再編集手段１０に対して、治療リスト情報３１１ｄに基づくスケジュール再編集要求を送る。
【０１１９】
スケジュール再編集手段１０は、スケジュール再編集要求を受けると、治療リスト編集手段１１により編集された治療リスト情報３１１ｄに基づいて、治療室スケジュール情報３８ｃを編集する。スケジュール再編集手段１０は、治療室スケジュール情報３８ｃ（図１７）を元にして、治療室スケジュール３８０において治療室が限定される治療イベントを優先的に割り当て、加速器が未使用の時間帯にあわせて残りの未割り当ての治療イベントを割り当てて、治療室スケジュール情報３８ｄ（図２０）を再生成する。すなわち、加速器稼働率３８１を高くした治療室スケジュール３８０を提供することができる。
【０１２０】
第４の実施形態によれば、一日当たりの治療数、すなわち、加速器の稼働時間を向上させるように、かつ、治療室の使用の割り当てに偏りが発生しないように、患者の治療を振り分け、治療室を振り分けることができる。また、治療室の使用の割り当てに偏りが発生した場合には、再割り当てにより、治療室を振り分けることができる。
【０１２１】
また、特定の治療室に限定されるような偏りがあるような場合に、他の治療室に割り当てを行うように治療室スケジュールを再編集することで、加速器の稼働率を高くしながら粒子線治療スケジュールを生成することができる。なお、第４の実施形態による効果は、第３の実施形態による効果も含むことは言うまでもない。
【０１２２】
［第５の実施形態］
図２１は、本発明に係る粒子線治療スケジュールシステムの第５の実施形態の構成を示すブロック図である。また、図２２は、再編集出力条件情報の一例を示す図である。
【０１２３】
図２１に示す粒子線治療スケジュールシステム１ｅは、図１８に示す粒子線治療スケジュールシステム１ｄの構成と比べて、さらにユーザ設定情報格納手段１２を備えている。また、粒子線治療スケジュールシステム１ｅが備える記憶手段３ｅは、粒子線治療スケジュールシステム１ｄが備える記憶手段３と比べて、後述する再編集出力条件情報３１２をさらに格納している。
【０１２４】
第５の実施形態は、第１から第４実施形態で説明した機能に、ユーザ設定情報格納手段１２を加えた下記に説明する作用、効果を実現する。
【０１２５】
ユーザ設定情報格納手段１２は、加速器稼働率低下の閾値、警告通知の有無など、ユーザ設定可能な監視パラメータに対して、記憶手段３ｅを介して、再編集出力条件情報３１２を格納する。
【０１２６】
記憶手段３ｅは、図１８に示す記憶手段３に格納される治療患者情報３１〜治療リスト情報３１１に加えて、さらに再編集出力条件情報３１２を格納する。
【０１２７】
再編集出力条件情報３１２は、監視パラメータを監視するための情報である。再編集出力条件情報３１２は、例えば治療室スケジュール情報３８の加速器稼働率３８１および治療患者数３８２が低下したときにユーザに警告するための情報を含む。
【０１２８】
前述した第２の実施形態ではスケジュール再編集通知が可能であるものの、施設によっては通知要否が異なる場合がある。また、通知を行なうときの監視パラメータの対象として、加速器稼働率３８１（％）、治療患者数３８２（人）などがあげられる。通知の優先順位や、各監視パラメータの閾値（所定の規定値を判断基準とする）も設備によって異なる場合がある。また、治療室スケジュール情報３８の再編集に対しても、ユーザ確認の要否が施設によって異なる場合がある。
【０１２９】
そこで、第５の実施形態では、このような監視パラメータを入力手段２から任意に設定することができ、ユーザ設定情報格納手段１２を介して、記憶手段３ｅの再編集出力条件情報３１２に、通知の優先順位や、各監視パラメータの閾値を設定することができる。これにより、監視パラメータが設定された閾値を満足しない場合には、通知の優先順位や、通知の有無に応じて、再編集の通知が行われる。なお、閾値を満足しない場合とは、例えば閾値を超えた場合に通知をする場合、閾値が最大値と最小値の範囲を超えた場合等の出力条件により定まる。
【０１３０】
図２２に、監視パラメータの設定を含む再編集出力条件情報３１２の一例を示す。以下、図２２に示す再編集出力条件情報３１２について説明する。
【０１３１】
再編集出力条件情報３１２は、例えばパラメータとして、再編集通知機能、［加速器稼働率］通知優先順位、［治療患者数］通知優先順位、［加速器稼働率］通知閾値、［治療患者数］通知閾値を含む。なお、図２２に示す再編集出力条件情報３１２には、各監視パラメータに関する備考を付加して記載している。
【０１３２】
再編集通知機能は、設定値が「ＯＮ」である場合に、通知要件を満たすとスケジュール再編集通知手段９からスケジュール再編集通知を行う。一方、設定値が「ＯＦＦ」である場合に、通知要件を満たしてもスケジュール再編集通知手段９からスケジュール再編集通知を行わない。
【０１３３】
［加速器稼働率］通知優先順位は、監視パラメータの一つである加速器稼働率３８１が通知要件を満たす場合に、スケジュール再編集通知の全ての中で、通知優先順位が何番目の順位であるかを示す。例えば、設定値「１」である場合に、通知優先順位が１番上の順位であることを示す。
【０１３４】
［治療患者数］通知優先順位は、監視パラメータの一つである治療患者数３８２が通知要件を満たす場合に、スケジュール再編集通知の全ての中で、通知優先順位が何番目の順位であるかを示す。例えば、設定値「２」である場合に、通知優先順位が２番目の順位であることを示す。
【０１３５】
なお、［加速器稼働率］通知優先順位および［治療患者数］通知優先順位に、各々に設定値「０」とし、個別にスケジュール再編集通知を行うか否かを設定してもよい。
【０１３６】
［加速器稼働率］通知閾値は、監視パラメータの一つである加速器稼働率３８１の通知要件の閾値である。例えば、設定値「ＮＮ」（％）である場合には、治療室スケジュール情報３８の加速器稼働率がＮＮ（％）以下となると通知要件を満たし、それを超えると通知要件を満たさない。
【０１３７】
［治療患者数］通知閾値は、監視パラメータの一つである治療患者数３８２の通知要件の閾値である。例えば、設定値「ＮＮ」（人）である場合には、治療室スケジュール情報３８の治療患者がＮＮ（人）以下となると通知要件を満たし、それを超えると通知要件を満たさない。
【０１３８】
以上説明したように、第５の実施形態の粒子線治療スケジュールシステムによれば、監視パラメータを設備の運用状況にあわせた設定を変更可能とし、設備の運用に合わせた粒子線治療スケジュールの監視機能を提供することができる。また、粒子線治療スケジュールシステムのユーザカスタマイズ性を高めることができる。なお、第５の実施形態による効果は、第４の実施形態による効果も含むことは言うまでもない。
【０１３９】
ここで、第１ないし第５の実施形態の粒子線治療スケジュールシステムの主な機器構成として、例えばＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＨＤＤ（Ｈａｒｄ Ｄｉｓｋ Ｄｒｉｖｅ）、キーボード、マウス、モニタなどを備える構成であってもよい。また、この場合には、例えば前述したような粒子線治療スケジュール処理などを実行するプログラムが粒子線治療スケジュールシステムに備えられ、ＣＰＵ、ＲＡＭ等により当該プログラムに従って、各々の機能部（各手段）における処理を実行することになる。また、上記例の構成の場合に、ＬＡＮ等を介して、外部から入力データ等を入力する構成であってもよい。
【０１４０】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１４１】
１ａ、１ｂ、１ｃ、１ｄ、１ｅ…粒子線治療スケジュールシステム、２…入力手段、３、３ｅ…記憶手段、４…治療所要時間算出手段、５…治療室別スケジュール生成手段、６…データ管理手段、７…データ提供手段、８…照射回別スケジュール生成手段、９…スケジュール再編集通知手段、１０…スケジュール再編集手段、１１…治療リスト編集手段、１２…ユーザ設定情報格納手段、３１…治療患者情報、３２…治療計画情報、３３…照射計画情報、３４…加速器稼働情報、３５…治療室設備情報、３６…スケジュール生成条件情報、３７…治療イベント所要時間情報、３８、３８ａ、３８ｂ、３８ｃ、３８ｄ、３８ｘ…治療室スケジュール情報、３９…治療室自動割当条件情報、３０１…管理情報、３０２…条件情報、３１０…照射回スケジュール情報、３１１、３１１ａ、３１１ｂ、３１１ｃ、３１１ｄ、３１１ｂ２…治療リスト情報、３１２…再編集出力条件情報、３５１…垂直方向割当順位、３５２…水平方向割当順位、３８０…治療室スケジュール、３８１…加速器稼働率、３８２…治療患者数、３１０１…照射スケジュール、３１０２…治療室候補、３１０３…治療室確定、３１１１、３１１２、３１１３、３１１４…治療イベント
【図１】
2014117407.tif 000003
【図２】
2014117407.tif 000004
【図３】
2014117407.tif 000005
【図４】
2014117407.tif 000006
【図５】
2014117407.tif 000007
【図６】
2014117407.tif 000008
【図７】
2014117407.tif 000009
【図８】
2014117407.tif 000010
【図９】
2014117407.tif 000011
【図１０】
2014117407.tif 000012
【図１１】
2014117407.tif 000013
【図１２】
2014117407.tif 000014
【図１３】
2014117407.tif 000015
【図１４】
2014117407.tif 000016
【図１５】
2014117407.tif 000017
【図１６】
2014117407.tif 000018
【図１７】
2014117407.tif 000019
【図１８】
2014117407.tif 000020
【図１９】
2014117407.tif 000021
【図２０】
2014117407.tif 000022
【図２１】
2014117407.tif 000023
【図２２】
2014117407.tif 000024